(57)【要約】      （修正有）【課題】設備の使用を容易に把握することが可能な使用管理システム、使用管理装置および使用管理プログラムを提供する。【解決手段】使用管理システム１０１は、複数の設備３Ａ，３Ｂにそれぞれ対応して設けられ、対応の設備３Ａ，３Ｂについての計測を行う複数の設置計測装置１０Ａ，１０Ｂと、作業者２Ｐ，２Ｑによって携帯され、対象者が使用している設備についての計測を行うことが可能な携帯計測装置１１Ｐ，１１Ｑと、各設置計測装置１０Ａ，１０Ｂの計測結果および携帯計測装置１１Ｐ，１１Ｑの計測結果に基づいて、作業者２Ｐ，２Ｑによる設備の使用履歴を作成する使用管理装置１２とを備える。【選択図】図１
2017091348.tif 000002
【特許請求の範囲】
【請求項１】
複数の設備にそれぞれ対応して設けられ、対応の前記設備についての計測を行う複数の設置計測装置と、
対象者によって携帯され、前記対象者が使用している前記設備についての計測を行うことが可能な携帯計測装置と、
各前記設置計測装置の計測結果および前記携帯計測装置の計測結果に基づいて、前記対象者による前記設備の使用履歴を作成する使用管理装置とを備える、使用管理システム。
【請求項２】
前記使用管理装置は、前記計測が行われた時刻を判断可能な時間情報にさらに基づいて前記使用履歴を作成する、請求項１に記載の使用管理システム。
【請求項３】
前記使用管理装置は、前記設置計測装置の計測結果と前記携帯計測装置の計測結果との比較結果に基づいて前記使用履歴を作成する、請求項１または請求項２に記載の使用管理システム。
【請求項４】
前記使用管理装置は、前記携帯計測装置の計測結果の示す値が所定条件を満たす期間に挟まれた対象期間における前記携帯計測装置の計測結果と、前記対象期間における前記設置計測装置の計測結果との比較結果に基づいて前記使用履歴を作成する、請求項３に記載の使用管理システム。
【請求項５】
前記使用管理装置は、前記携帯計測装置が継続してオン状態であった対象期間における前記携帯計測装置の計測結果と、前記対象期間における前記設置計測装置の計測結果との比較結果に基づいて前記使用履歴を作成する、請求項３に記載の使用管理システム。
【請求項６】
前記使用管理システムは、複数の前記対象者によってそれぞれ携帯される複数の前記携帯計測装置を備え、
前記使用管理装置は、各前記設置計測装置の計測結果および各前記携帯計測装置の計測結果に基づいて、前記複数の対象者の前記使用履歴を作成する、請求項１から請求項５のいずれか１項に記載の使用管理システム。
【請求項７】
複数の設備にそれぞれ対応して設けられ、対応の前記設備についての計測を行う複数の設置計測装置の計測結果、および、対象者によって携帯され、前記対象者が使用している前記設備についての計測を行うことが可能な携帯計測装置の計測結果を取得する取得部と、
前記取得部によって取得された各前記設置計測装置の計測結果および前記携帯計測装置の計測結果に基づいて、前記対象者による前記設備の使用履歴を作成する履歴作成部とを備える、使用管理装置。
【請求項８】
使用管理装置において用いられる使用管理プログラムであって、コンピュータを、
複数の設備にそれぞれ対応して設けられ、対応の前記設備についての計測を行う複数の設置計測装置の計測結果、および、対象者によって携帯され、前記対象者が使用している前記設備についての計測を行うことが可能な携帯計測装置の計測結果を取得する取得部と、
前記取得部によって取得された各前記設置計測装置の計測結果および前記携帯計測装置の計測結果に基づいて、前記対象者による前記設備の使用履歴を作成する履歴作成部として機能させるための、使用管理プログラム。
【発明の詳細な説明】
【技術分野】
【０００１】
本発明は、使用管理システム、使用管理装置および使用管理プログラムに関し、特に、計測装置を用いた使用管理システム、使用管理装置および使用管理プログラムに関する。
【背景技術】
【０００２】
従来、設備の使用状況を管理するための管理装置が開発されている。たとえば、特許文献１（特許第４１６０３１５号公報）には以下のような技術が開示さている。
【０００３】
すなわち、管理装置は、ポンプ装置の機側に設けられ、該ポンプ装置の運転状況を記憶し、記憶されたデータを当該ポンプ装置をネットワークを通じてホストコンピュータに伝送する機側管理子機を備え、前記機側管理子機から定期的に送られてくるデータを蓄積すると共に、該機側管理子機を備えたポンプ装置の詳細なデータを記憶しているデータベースと、そのデータベースをネットワークからアクセス可能に開示しているホストコンピュータからなるポンプ装置の管理装置であって、前記機側管理子機は、前記運転状況として少なくとも動力線に設けられた電流センサからの電流信号を取り込んで、一時記憶する運転状況データ集計記憶手段と、該運転状況データ集計記憶手段に記憶されているデータを当該ポンプ装置を識別するＩＤ信号と共に前記ホストコンピュータに伝送するデータ伝送手段を備え、前記運転状況データ集計記憶手段に取り込まれるデータは時系列データとしてではない、電流値もしくは電力値をあるレンジ領域に複数分割し、どのレンジ領域でどれだけの時間運転したかという運転時間のデータである。
【先行技術文献】
【特許文献】
【０００４】
【特許文献１】特許第４１６０３１５号公報
【特許文献２】特開２００２−１０３９４８号公報
【発明の概要】
【発明が解決しようとする課題】
【０００５】
ところで、たとえば工場において、作業者がどの設備を使用して作業を行ったかを把握することができれば、効果的な品質管理または工程管理等を行うことができる。
【０００６】
しかしながら、使用した設備を作業者に記録させる等の方法を用いると、余分な手間がかかり、また、作業者が記録することを忘れてしまうことも考えられる。
【０００７】
この発明は、上述の課題を解決するためになされたもので、その目的は、設備の使用を容易に把握することが可能な使用管理システム、使用管理装置および使用管理プログラムを提供することである。
【課題を解決するための手段】
【０００８】
（１）上記課題を解決するために、この発明のある局面に係る使用管理システムは、複数の設備にそれぞれ対応して設けられ、対応の前記設備についての計測を行う複数の設置計測装置と、対象者によって携帯され、前記対象者が使用している前記設備についての計測を行うことが可能な携帯計測装置と、各前記設置計測装置の計測結果および前記携帯計測装置の計測結果に基づいて、前記対象者による前記設備の使用履歴を作成する使用管理装置とを備える。
【０００９】
（７）上記課題を解決するために、この発明のある局面に係る使用管理装置は、複数の設備にそれぞれ対応して設けられ、対応の前記設備についての計測を行う複数の設置計測装置の計測結果、および、対象者によって携帯され、前記対象者が使用している前記設備についての計測を行うことが可能な携帯計測装置の計測結果を取得する取得部と、前記取得部によって取得された各前記設置計測装置の計測結果および前記携帯計測装置の計測結果に基づいて、前記対象者による前記設備の使用履歴を作成する履歴作成部とを備える。
【００１０】
（８）上記課題を解決するために、この発明のある局面に係る使用管理プログラムは、使用管理装置において用いられる使用管理プログラムであって、コンピュータを、複数の設備にそれぞれ対応して設けられ、対応の前記設備についての計測を行う複数の設置計測装置の計測結果、および、対象者によって携帯され、前記対象者が使用している前記設備についての計測を行うことが可能な携帯計測装置の計測結果を取得する取得部と、前記取得部によって取得された各前記設置計測装置の計測結果および前記携帯計測装置の計測結果に基づいて、前記対象者による前記設備の使用履歴を作成する履歴作成部として機能させるためのプログラムである。
【００１１】
本発明は、このような特徴的な処理部を備える使用管理装置として実現することができるだけでなく、かかる特徴的な処理をステップとする方法として実現することができる。また、使用管理装置の一部または全部を実現する半導体集積回路として実現することができる。
【発明の効果】
【００１２】
本発明によれば、設備の使用を容易に把握することができる。
【図面の簡単な説明】
【００１３】
【図１】図１は、本発明の第１の実施の形態に係る使用管理システムの構成を示す図である。
【図２】図２は、本発明の第１の実施の形態に係る使用管理システムにおける使用管理装置が作成したリストＬの一例を示す図である。
【図３】図３は、本発明の第１の実施の形態に係る使用管理システムにおける使用履歴作成処理を示すシーケンス図である。
【図４】図４は、本発明の第１の実施の形態に係る使用管理システムにおける比較処理Ｃについて説明するための図である。
【図５】図５は、本発明の第１の実施の形態に係る使用管理システムにおける使用管理装置が作成した使用履歴の一例を示す図である。
【図６】図６は、本発明の第１の実施の形態に係る使用管理システムにおける使用管理装置の構成を示す図である。
【図７】図７は、本発明の第２の実施の形態に係る使用管理システムにおける比較処理Ｃについて説明するための図である。
【発明を実施するための形態】
【００１４】
最初に、本発明の実施の形態の内容を列記して説明する。
【００１５】
（１）本発明の実施の形態に係る使用管理システムは、複数の設備にそれぞれ対応して設けられ、対応の前記設備についての計測を行う複数の設置計測装置と、対象者によって携帯され、前記対象者が使用している前記設備についての計測を行うことが可能な携帯計測装置と、各前記設置計測装置の計測結果および前記携帯計測装置の計測結果に基づいて、前記対象者による前記設備の使用履歴を作成する使用管理装置とを備える。
【００１６】
このような構成により、たとえば、設置計測装置による計測結果と携帯計測装置による計測結果とが所定の関係を有するような場合に、対象者が使用している設備は当該設置計測装置に対応する設備であると判断することができるため、たとえば対象者が使用した設備を自ら記録することなく、設備の使用履歴を作成することができる。したがって、設備の使用を容易に把握することができる。
【００１７】
（２）好ましくは、前記使用管理装置は、前記計測が行われた時刻を判断可能な時間情報にさらに基づいて前記使用履歴を作成する。
【００１８】
このような構成により、設置計測装置による測定値の時間的変化と、携帯計測装置による測定値の時間的変化とに基づいて、対象者が使用した設備をより正確に判断することができる。
【００１９】
（３）好ましくは、前記使用管理装置は、前記設置計測装置の計測結果と前記携帯計測装置の計測結果との比較結果に基づいて前記使用履歴を作成する。
【００２０】
このような構成により、たとえば、設置計測装置による測定値の変化に合わせて携帯計測装置による測定値も変化した場合に、対象者が使用した設備は当該設置計測装置に対応する設備であると判断することができるため、より正確な使用履歴を作成することができる。
【００２１】
（４）より好ましくは、前記使用管理装置は、前記携帯計測装置の計測結果の示す値が所定条件を満たす期間に挟まれた対象期間における前記携帯計測装置の計測結果と、前記対象期間における前記設置計測装置の計測結果との比較結果に基づいて前記使用履歴を作成する。
【００２２】
このような構成により、たとえば、対象者がどの設備も使用しなかった時間帯に挟まれた時間帯、すなわち対象者が１つの設備を継続して使用していた時間帯を対象期間とし、当該対象期間における各設置計測装置による計測結果と携帯計測装置による計測結果とを比較することができるため、対象者が使用した設備をより正確に判断することができる。
【００２３】
（５）より好ましくは、前記使用管理装置は、前記携帯計測装置が継続してオン状態であった対象期間における前記携帯計測装置の計測結果と、前記対象期間における前記設置計測装置の計測結果との比較結果に基づいて前記使用履歴を作成する。
【００２４】
このような構成により、対象者が、設備の使用を開始するときに携帯計測装置をオンし、当該設備の使用を終えたときに携帯計測装置をオフするような場合において、対象者が１つの設備を継続して使用していた時間帯を対象期間とし、当該対象期間における各設置計測装置による計測結果と携帯計測装置による計測結果とを比較することができるため、対象者が使用した設備をより正確に判断することができる。
【００２５】
（６）好ましくは、前記使用管理システムは、複数の前記対象者によってそれぞれ携帯される複数の前記携帯計測装置を備え、前記使用管理装置は、各前記設置計測装置の計測結果および各前記携帯計測装置の計測結果に基づいて、前記複数の対象者の前記使用履歴を作成する。
【００２６】
このような構成により、各携帯計測装置の計測結果を用いて、たとえば各設備の全体的な管理を適切に行うことができる。
【００２７】
（７）本発明の実施の形態に係る使用管理装置は、複数の設備にそれぞれ対応して設けられ、対応の前記設備についての計測を行う複数の設置計測装置の計測結果、および、対象者によって携帯され、前記対象者が使用している前記設備についての計測を行うことが可能な携帯計測装置の計測結果を取得する取得部と、前記取得部によって取得された各前記設置計測装置の計測結果および前記携帯計測装置の計測結果に基づいて、前記対象者による前記設備の使用履歴を作成する履歴作成部とを備える。
【００２８】
このような構成により、たとえば、設置計測装置による計測結果と携帯計測装置による計測結果とが所定の関係を有するような場合に、対象者が使用している設備は当該設置計測装置に対応する設備であると判断することができるため、たとえば対象者が使用した設備を自ら記録することなく、設備の使用履歴を作成することができる。したがって、設備の使用を容易に把握することができる。
【００２９】
（８）本発明の実施の形態に係る使用管理プログラムは、使用管理装置において用いられる使用管理プログラムであって、コンピュータを、複数の設備にそれぞれ対応して設けられ、対応の前記設備についての計測を行う複数の設置計測装置の計測結果、および、対象者によって携帯され、前記対象者が使用している前記設備についての計測を行うことが可能な携帯計測装置の計測結果を取得する取得部と、前記取得部によって取得された各前記設置計測装置の計測結果および前記携帯計測装置の計測結果に基づいて、前記対象者による前記設備の使用履歴を作成する履歴作成部として機能させるためのプログラムである。
【００３０】
このような構成により、たとえば、設置計測装置による計測結果と携帯計測装置による計測結果とが所定の関係を有するような場合に、対象者が使用している設備は当該設置計測装置に対応する設備であると判断することができるため、たとえば対象者が使用した設備を自ら記録することなく、設備の使用履歴を作成することができる。したがって、設備の使用を容易に把握することができる。
【００３１】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００３２】
＜第１の実施の形態＞
［構成および基本動作］
図１は、本発明の第１の実施の形態に係る使用管理システムの構成を示す図である。
【００３３】
図１を参照して、使用管理システム１０１は、設備３Ａ，３Ｂと、設置計測装置１０Ａ，１０Ｂと、携帯計測装置１１Ｐ，１１Ｑと、使用管理装置１２と、アクセスポイント１４とを備える。
【００３４】
以下、設備３Ａ，３Ｂの各々を設備３とも称する。また、設置計測装置１０Ａ，１０Ｂの各々を設置計測装置１０とも称する。また、携帯計測装置１１Ｐ，１１Ｑの各々を携帯計測装置１１とも称する。
【００３５】
この例では、使用管理システム１０１は、設備３および設置計測装置１０をそれぞれ２個備えているが、より多くの設備３および設置計測装置１０を備える構成であってもよい。また、使用管理システム１０１は、携帯計測装置１１を２個備えているが、１個以上備える構成であればよい。
【００３６】
設備３は、たとえば電気溶接機である。作業者２である作業者２Ｐ，２Ｑは、設備３を用いて作業対象物３０に対して溶接作業を行う。設備３は、分電盤１から動力線３３を介して電力の供給を受け、作業者２によって保持されたトーチ３４へ出力線３１を介して電流を出力する。作業者２は、トーチ３４および作業対象物３０間において発生するアーク放電により溶接作業を行う。当該電流は、作業対象物３０およびアース線３２を通って設備３へ戻る。
【００３７】
設置計測装置１０Ａ，１０Ｂは、設備３Ａ，３Ｂにそれぞれ対応して取り付けられる。具体的には、設置計測装置１０は、対応の設備３の出力線３１に取り付けられる。設置計測装置１０は、たとえばクランプ型の電流センサと無線通信部とを含み、自己の取り付けられた出力線３１を流れる電流を計測して、計測結果を無線によりアクセスポイント１４へ送信する。
【００３８】
携帯計測装置１１Ｐ，１１Ｑは、作業者２Ｐ，２Ｑによってそれぞれ携帯される。作業者２は、設備３の使用を開始する前に、当該設備３の出力線３１に自己の携帯計測装置１１を取り付ける。そして、作業者２は、設備３の使用を終えると、当該設備３から自己の携帯計測装置１１を取り外す。
【００３９】
携帯計測装置１１は、作業者２が使用している設備３の動作についての計測を行うことが可能である。具体的には、たとえば、携帯計測装置１１は、クランプ型の電流センサと無線通信部とを含み、自己の取り付けられた出力線３１を流れる電流を計測して、計測結果を無線によりアクセスポイント１４へ送信する。
【００４０】
なお、設置計測装置１０および携帯計測装置１１は、出力線３１に取り付けられる構成に限らず、動力線３３に取り付けられる構成であってもよい。また、たとえば、設置計測装置１０および携帯計測装置１１の一方が動力線３３に取り付けられ、他方が出力線３１に取り付けられる構成であってもよい。
【００４１】
アクセスポイント１４は、各設置計測装置１０および各携帯計測装置１１から計測結果を受信して、受信した各計測結果を使用管理装置１２へ送信する。
【００４２】
使用管理装置１２は、アクセスポイント１４経由で計測結果を受信すると、受信した計測結果に時間情報Ｔを対応付け、計測結果および時間情報Ｔを含む計測情報Ｇを作成する。
【００４３】
ここで、時間情報Ｔとは、設置計測装置１０または携帯計測装置１１によって計測結果が得られた時刻、すなわち設置計測装置１０または携帯計測装置１１によって計測が行われた時刻を判断可能な情報である。
【００４４】
この例では、時間情報Ｔは、使用管理装置１２が計測結果を受信した時刻を示す情報である。たとえば、使用管理装置１２が計測結果を受信した時刻は、計測が行われた時刻より多少遅くなるが、計測が行われた時刻は、使用管理装置１２が計測結果を受信した時刻に基づいて推定可能である。
【００４５】
使用管理装置１２は、各設置計測装置１０および各携帯計測装置１１から計測結果をたとえば定期的に受信する。使用管理装置１２は、計測結果を受信するたびに、当該計測結果および時間情報Ｔを含む計測情報Ｇを作成して自己の記憶部に保存する。
【００４６】
具体的には、使用管理装置１２は、過去の計測情報Ｇの内容を示すリストＬに新たな計測情報Ｇの内容を追加する。当該記憶部には各設置計測装置１０および各携帯計測装置１１の各々についてのリストＬが記憶されている。
【００４７】
使用管理装置１２は、たとえば、アクセスポイント１４経由で受信した、各設置計測装置１０の計測結果および携帯計測装置１１Ｐの計測結果に基づいて、対象者である作業者２Ｐによる設備３の使用履歴を作成する。
【００４８】
具体的には、使用管理装置１２は、たとえば、各設置計測装置１０の計測情報Ｇおよび携帯計測装置１１Ｐの計測情報Ｇに基づいて、作業者２Ｐによる設備３の使用履歴を作成する。
【００４９】
より具体的には、使用管理装置１２は、各設置計測装置１０についてのリストＬおよび携帯計測装置１１ＰについてのリストＬに基づいて、作業者２Ｐによる設備３の使用履歴を作成する。
【００５０】
図２は、本発明の第１の実施の形態に係る使用管理システムにおける使用管理装置が作成したリストＬの一例を示す図である。
【００５１】
図２は、携帯計測装置１１ＰについてのリストＬを示している。図２を参照して、リストＬは、携帯計測装置１１Ｐによる計測結果である「計測値」と、使用管理装置１２において当該計測結果を受信した「受信時刻」とを示す。
【００５２】
なお、設置計測装置１０Ａ，１０Ｂおよび携帯計測装置１１Ｑの各々についてのリストＬも、図２に示すリストＬと同様の構成である。
【００５３】
図３は、本発明の第１の実施の形態に係る使用管理システムにおける使用履歴作成処理を示すシーケンス図である。
【００５４】
使用管理システムにおける各装置は、コンピュータを備え、当該コンピュータにおけるＣＰＵ等の演算処理部は、以下のシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００５５】
図３は、対象者である作業者２Ｐの使用履歴を作成するための使用履歴作成処理を示している。設置計測装置１０または携帯計測装置１１と使用管理装置１２との間でやり取りされる情報はアクセスポイント１４によって中継されるが、説明を簡単にするために、この例ではアクセスポイント１４についての説明を行わない。
【００５６】
図３を参照して、まず、使用管理装置１２は、計測結果を要求するための計測結果要求Ｐｒを携帯計測装置１１Ｐへ送信する（ステップＳ１１）。
【００５７】
次に、携帯計測装置１１Ｐは、使用管理装置１２から計測結果要求Ｐｒを受信すると、作業者２Ｐによって自己が取り付けられた設備３Ａの出力線３１を流れる電流を計測する。そして、携帯計測装置１１Ｐは、計測結果を示す計測結果通知Ｐｎを使用管理装置１２へ送信する（ステップＳ１２）。
【００５８】
次に、使用管理装置１２は、携帯計測装置１１Ｐから計測結果通知Ｐｎを受信して、計測結果通知Ｐｎの示す計測結果と時間情報Ｔとを対応付けて自己の記憶部に保存する（ステップＳ１３）。
【００５９】
具体的には、使用管理装置１２は、計測結果通知Ｐｎの示す計測結果と、計測結果通知Ｐｎを受信した時刻を示す時間情報Ｔとを含む計測情報Ｇを作成する。そして、使用管理装置１２は、作成した計測情報Ｇの内容を、記憶部が記憶する携帯計測装置１１ＰについてのリストＬに追加する。
【００６０】
次に、使用管理装置１２は、計測結果を要求するための計測結果要求Ａｒを設置計測装置１０Ａへ送信する（ステップＳ１４）。
【００６１】
次に、設置計測装置１０Ａは、使用管理装置１２から計測結果要求Ａｒを受信すると、自己が取り付けられた設備３Ａの出力線３１を流れる電流を計測する。そして、設置計測装置１０Ａは、計測結果を示す計測結果通知Ａｎを使用管理装置１２へ送信する（ステップＳ１５）。
【００６２】
次に、使用管理装置１２は、設置計測装置１０Ａから計測結果通知Ａｎを受信して、計測結果通知Ａｎの示す計測結果と時間情報Ｔとを対応付けて自己の記憶部に保存する（ステップＳ１６）。
【００６３】
具体的には、使用管理装置１２は、計測結果通知Ａｎの示す計測結果と、計測結果通知Ａｎを受信した時刻を示す時間情報Ｔとを含む計測情報Ｇを作成する。そして、使用管理装置１２は、作成した計測情報Ｇの内容を、記憶部が記憶する設置計測装置１０ＡについてのリストＬに追加する。
【００６４】
次に、使用管理装置１２は、計測結果を要求するための計測結果要求Ｂｒを設置計測装置１０Ｂへ送信する（ステップＳ１７）。
【００６５】
次に、設置計測装置１０Ｂは、使用管理装置１２から計測結果要求Ｂｒを受信すると、自己が取り付けられた設備３Ｂの出力線３１を流れる電流を計測する。そして、設置計測装置１０Ｂは、計測結果を示す計測結果通知Ｂｎを使用管理装置１２へ送信する（ステップＳ１８）。
【００６６】
次に、使用管理装置１２は、設置計測装置１０Ｂから計測結果通知Ｂｎを受信して、計測結果通知Ｂｎの示す計測結果と時間情報Ｔとを対応付けて自己の記憶部に保存する（ステップＳ１９）。
【００６７】
具体的には、使用管理装置１２は、計測結果通知Ｂｎの示す計測結果と、計測結果通知Ｂｎを受信した時刻を示す時間情報Ｔとを含む計測情報Ｇを作成する。そして、使用管理装置１２は、作成した計測情報Ｇの内容を、記憶部が記憶する設置計測装置１０ＢについてのリストＬに追加する。
【００６８】
使用管理システム１０１は、たとえば、ステップＳ１１〜Ｓ１９の動作である取得処理Ｒを定期的に繰り返し、携帯計測装置１１ＰについてのリストＬ、設置計測装置１０ＡについてのリストＬ、および設置計測装置１０ＢについてのリストＬに内容を追加していく。
【００６９】
次に、使用管理装置１２は、後述する比較処理Ｃを行い（ステップＳ２０）、比較処理Ｃによって得られた結果を用いて作業者２による設備３の使用履歴を作成する（ステップＳ２１）。
【００７０】
なお、この例では、携帯計測装置１１および設置計測装置１０は、使用管理装置１２から計測結果要求を受信して、使用管理装置１２へ計測結果通知を送信する構成であるとしたが、これに限定するものではない。たとえば、携帯計測装置１１および設置計測装置１０は、定期的または不定期に、使用管理装置１２へ計測結果通知を自発的に送信する構成であってもよい。
【００７１】
図４は、本発明の第１の実施の形態に係る使用管理システムにおける比較処理Ｃについて説明するための図である。
【００７２】
使用管理装置１２は、比較処理Ｃを行う際、たとえば、自己の記憶部に保存されているリストＬに基づいてグラフを作成する。
【００７３】
図４は、使用管理装置１２がリストＬに基づいて作成したグラフを示している。具体的には、図４は、携帯計測装置１１ＰについてのリストＬに基づいて作成されたグラフＧＰと、設置計測装置１０ＡについてのリストＬに基づいて作成されたグラフＧＡと、設置計測装置１０ＢについてのリストＬに基づいて作成されたグラフＧＢとを示している。
【００７４】
図４を参照して、グラフＧＰは、携帯計測装置１１Ｐによる計測結果である計測電流Ｉｐの時間的な変化を示している。また、グラフＧＡは、設置計測装置１０Ａによる計測結果である計測電流Ｉａの時間的な変化を示している。また、グラフＧＢは、設置計測装置１０Ｂによる計測結果である計測電流Ｉｂの時間的な変化を示している。
【００７５】
グラフＧＰにおいて、計測電流Ｉｐは、所定値Ｃｔｈ以上の状態から時刻ｔ１において所定値Ｃｔｈ未満の状態となり、時刻ｔ２において所定値Ｃｔｈ以上の状態となり、時刻ｔ３において所定値Ｃｔｈ未満の状態となり、時刻ｔ４において所定値Ｃｔｈ以上の状態となり、時刻ｔ５において所定値Ｃｔｈ未満の状態となり、時刻ｔ６において所定値Ｃｔｈ以上の状態となった。
【００７６】
つまり、計測電流Ｉｐは、時刻ｔ１から時刻ｔ２までの期間Ｔ１において所定値Ｃｔｈ未満であり、時刻ｔ２から時刻ｔ３までの期間Ｔ２において所定値Ｃｔｈ以上であり、時刻ｔ３から時刻ｔ４までの期間Ｔ３において所定値Ｃｔｈ未満であり、時刻ｔ４から時刻ｔ５までの期間Ｔ４において所定値Ｃｔｈ以上であり、時刻ｔ５から時刻ｔ６までの期間Ｔ５において所定値Ｃｔｈ未満であった。
【００７７】
所定値Ｃｔｈは、たとえば、携帯計測装置１１Ｐが計測する可能性があるノイズの最大値である。
【００７８】
まず、使用管理装置１２は、携帯計測装置１１ＰについてのリストＬつまりグラフＧＰに基づいて、計測電流Ｉｐが所定時間以上、所定値Ｃｔｈ未満であった期間（以下、非対象期間Ｔｍとも称する。）と、２つの非対象期間Ｔｍに挟まれた期間（以下、対象期間Ｔｙとも称する。）とを認識する。具体的には、対象期間Ｔｙは、非対象期間Ｔｍおよび当該非対象期間Ｔｍの次の非対象期間Ｔｍに前後を挟まれた期間である。この例では、期間Ｔ１，Ｔ３，Ｔ５が非対象期間Ｔｍであり、期間Ｔ２，Ｔ４が対象期間Ｔｙである。
【００７９】
次に、使用管理装置１２は、携帯計測装置１１Ｐの計測結果と、各設置計測装置１０Ｐの計測結果とを比較する。具体的には、使用管理装置１２は、対象期間Ｔｙにおける携帯計測装置１１の計測結果と、当該対象期間Ｔｙにおける各設置計測装置１０の計測結果とを比較する。
【００８０】
より具体的には、使用管理装置１２は、対象期間Ｔｙである期間Ｔ２における携帯計測装置１１Ｐの計測結果と、期間Ｔ２における各設置計測装置１０の計測結果とを比較し、比較結果が所定条件を満たすか否かを判断する。
【００８１】
たとえば、使用管理装置１２は、グラフＧＰの期間Ｔ２における部分であるグラフＧＰ２と、グラフＧＡの期間Ｔ２における部分であるグラフＧＡ２とを比較することにより、グラフＧＰ２およびグラフＧＡ２が一致するか否かを判断する。
【００８２】
ここで、グラフが一致するとは、たとえば、縦軸および横軸の尺度がそれぞれ等しい２つのグラフの形状がほぼ同じであることをいう。
【００８３】
また、使用管理装置１２は、グラフＧＰ２とグラフＧＢの期間Ｔ２における部分であるグラフＧＢ２とを比較することにより、グラフＧＰ２およびグラフＧＢ２が一致するか否かを判断する。
【００８４】
この例では、使用管理装置１２は、グラフＧＰ２およびグラフＧＡ２は一致し、グラフＧＰ２およびグラフＧＢ２は一致しないと判断する。そして、使用管理装置１２は、この判断結果から、作業者２Ｐは期間Ｔ２において設置計測装置１０Ａを使用したと判断する。
【００８５】
また、使用管理装置１２は、対象期間Ｔｙである期間Ｔ４における携帯計測装置１１Ｐの計測結果と、期間Ｔ４における各設置計測装置１０の計測結果とを比較する。
【００８６】
たとえば、使用管理装置１２は、グラフＧＰの期間Ｔ４における部分であるグラフＧＰ４と、グラフＧＡの期間Ｔ４における部分であるグラフＧＡ４とを比較することにより、グラフＧＰ４およびグラフＧＡ４が一致するか否かを判断する。
【００８７】
また、使用管理装置１２は、グラフＧＰ４とグラフＧＢの期間Ｔ４における部分であるグラフＧＢ４とを比較することにより、グラフＧＰ４およびグラフＧＢ４が一致するか否かを判断する。
【００８８】
この例では、使用管理装置１２は、グラフＧＰ４およびグラフＧＡ４は一致せず、グラフＧＰ４およびグラフＧＢ４は一致すると判断する。そして、使用管理装置１２は、この判断結果から、作業者２Ｐは期間Ｔ４において設置計測装置１０Ｂを使用したと判断する。
【００８９】
使用管理装置１２は、対象期間Ｔｙにおける携帯計測装置１１の計測結果と、当該対象期間Ｔｙにおける各設置計測装置１０の計測結果との比較結果に基づいて、作業者２Ｐによる設備３の使用履歴を作成する。具体的には、使用管理装置１２は、作業者２Ｐが、期間Ｔ２において設置計測装置１０Ａを使用し、期間Ｔ４において設置計測装置１０Ｂを使用したとする判断結果から、作業者２Ｐによる設備３の使用履歴を作成する。
【００９０】
なお、この例では、携帯計測装置１１Ｐによって計測された計測電流Ｉｐが所定時間以上、所定値Ｃｔｈ未満であった期間を非対象期間Ｔｍとしたが、これに限定するものではない。非対象期間Ｔｍは、計測電流Ｉｐが何らかの所定条件を満たす期間であればよい。
【００９１】
また、使用管理装置１２は、グラフが一致するか否かにより作業者２が使用した設備３を判断する構成であるとしたが、これに限定するものではない。たとえば、使用管理装置１２は、グラフの類似の程度に基づいて、作業者２が使用した設備３を判断する構成であってもよいし、グラフの示す値の相関関係に基づいて、作業者２が使用した設備３を判断する構成であってもよい。
【００９２】
また、使用管理装置１２は、各リストＬに基づいて対応のグラフを作成し、作成した各グラフを用いて作業者２が使用した設備３を判断する構成であるとしたが、これに限定するものはない。たとえば、使用管理装置１２は、グラフを作成することなく、各リストＬの示す値から直接的に作業者２が使用した設備３を判断する構成であってもよい。
【００９３】
図３および図４では、使用管理装置１２が作業者２Ｐによる設備３の使用履歴を作成する手順について説明した。使用管理装置１２は、作業者２Ｑによる設備３の使用履歴についても当該手順と同様の手順で作成することができる。
【００９４】
つまり、使用管理装置１２は、設置計測装置１０Ａ，１０Ｂの計測結果および携帯計測装置１１Ｐ，１１Ｑの計測結果に基づいて、複数の対象者すなわち作業者２Ｐ，２Ｑによる設備３の使用履歴を作成する。
【００９５】
図５は、本発明の第１の実施の形態に係る使用管理システムにおける使用管理装置が作成した使用履歴の一例を示す図である。
【００９６】
図５を参照して、リストＵＲは、作業者２Ｐによる設備３の使用履歴を示している。具体的には、図５を参照して、リストＵＲは、「期間」と、作業者２が「使用した設備」とを示す。
【００９７】
この例では、リストＵＲは、作業者２Ｐが、時刻ｔ２〜ｔ３の期間において設備３Ａを使用し、時刻ｔ４〜ｔ５の期間において設備３Ｂを使用したことを示している。
【００９８】
図６は、本発明の第１の実施の形態に係る使用管理システムにおける使用管理装置の構成を示す図である。
【００９９】
図６を参照して、使用管理装置１２は、取得部５１と、処理部（履歴作成部）５２と、出力部５３と、記憶部５４と、内部時計５５とを備える。
【０１００】
記憶部５４は、たとえば、設置計測装置１０Ａ，１０Ｂおよび携帯計測装置１１Ｐ，１１ＱについてのリストＬを記憶している。
【０１０１】
取得部５１は、たとえば、設置計測装置１０Ａ，１０Ｂおよび携帯計測装置１１Ａ，１１Ｂの各々から送信された計測結果を取得し、取得した各計測結果を処理部５２へ出力する。
【０１０２】
たとえば、処理部５２は、設置計測装置１０Ａから送信された計測結果を取得部５１経由で取得すると、現在の時刻を示す時間情報Ｔを内部時計５５から取得し、取得した計測結果および時間情報Ｔを含む計測情報Ｇを作成する。処理部５２は、作成した計測情報Ｇの内容を、記憶部５４の記憶する設置計測装置１０ＡについてのリストＬに追加する。
【０１０３】
処理部５２は、設置計測装置１０Ｂ、携帯計測装置１１Ｐまたは携帯計測装置１１Ｑの計測結果を取得部５１から受けた場合も同様に計測情報Ｇを作成し、作成した計測情報Ｇの内容を、対応のリストＬに内容を追加する。
【０１０４】
処理部５２は、たとえば、取得部５１によって取得された設置計測装置１０Ａ，１０Ｂの各計測結果、および携帯計測装置１１Ｐの計測結果に基づいて、対象者である作業者２Ｐによる設備３の使用履歴を作成する。
【０１０５】
具体的には、たとえば、処理部５２は、設置計測装置１０Ａの計測結果を含む計測情報Ｇ、設置計測装置１０Ｂの計測結果を含む計測情報Ｇ、および携帯計測装置１１Ｐの計測結果を含む計測情報Ｇに基づいて、作業者２Ｐによる設備３の使用履歴を作成する。
【０１０６】
より具体的には、処理部５２は、設置計測装置１０ＡについてのリストＬ、設置計測装置１０ＢについてのリストＬ、および携帯計測装置１１ＰについてのリストＬを用いて上述の比較処理Ｃを行う。処理部５２は、比較処理Ｃによって得られた、作業者２がどの設備３を使用したかの判断結果に基づいて、作業者２Ｐによる設備３の使用履歴を作成する。
【０１０７】
処理部５２は、たとえば、作成した使用履歴を出力部５３へ出力する。出力部５３は、処理部５２から受けた使用履歴を、たとえば使用管理装置１２に接続されたディスプレイに表示する制御を行う。
【０１０８】
なお、本発明の第１の実施の形態に係る使用管理システム１０１では、設置計測装置１０および携帯計測装置１１は電流を計測する構成であるとしたが、これに限定するものではない。たとえば、設置計測装置１０および携帯計測装置１１は、同じ種類の物理量を計測する構成であればよく、「物理量」には、電流、電力、電圧および振動等が含まれる。
【０１０９】
具体的には、たとえば、設置計測装置１０および携帯計測装置１１は、電力を計測する構成であってもよいし、電圧を計測する構成であってもよいし、設備３の振動を計測する構成であってもよい。
【０１１０】
また、本発明の第１の実施の形態に係る使用管理システム１０１では、時間情報Ｔは、使用管理装置１２が計測結果を受信した時刻を示す情報であるとしたが、これに限定するものではない。
【０１１１】
たとえば、時間情報Ｔは、アクセスポイント１４が計測結果を受信または送信した時刻を示す情報であってもよい。この場合、使用管理装置１２における処理部５２は、アクセスポイント１４から時間情報Ｔを取得する。また、設置計測装置１０および携帯計測装置１１が内部時計を備える場合、時間情報Ｔは、設置計測装置１０および携帯計測装置１１が計測を行った時刻を示す情報であってもよい。この場合、使用管理装置１２における処理部５２は、設置計測装置１０および携帯計測装置１１の各々から時間情報Ｔを取得する。また、時間情報Ｔは、時刻に限らず、計測が行われた時刻を判断可能な何らかのタイミングを示す情報であってもよい。
【０１１２】
また、本発明の第１の実施の形態に係る使用管理システム１０１では、使用管理装置１２は、時間情報Ｔに基づかずに、作業者２による設備３の使用履歴を作成する構成であってもよい。
【０１１３】
たとえば、使用管理装置１２は、図３において説明したように、携帯計測装置１１および各設置計測装置１０から計測結果を定期的に取得する。使用管理装置１２は、携帯計測装置１１から取得した各計測結果を取得順に並べたリストＬｓと、設置計測装置１０Ａから取得した各計測結果を取得順に並べたリストＬｓと、設置計測装置１０Ｂから取得した各計測結果を取得順に並べたリストＬｓとを作成して記憶部５４に保存する。
【０１１４】
使用管理装置１２は、記憶部５４に保存された各リストＬｓに基づいて、図４に示すようなグラフを作成する。ここで、使用管理装置１２が作成する各グラフは、図４に示す各グラフと比べて、横軸が、「時刻」ではなく、計測結果の取得順を示す番号である。使用管理装置１２は、作成した各グラフを用いて比較処理Ｃと同様の処理を行うことにより、たとえば作業者２Ｐによる設備３の使用履歴を作成する。
【０１１５】
ところで、たとえば工場において、作業者がどの設備３を使用して作業を行ったかを把握することができれば、効果的な品質管理または工程管理等を行うことができる。
【０１１６】
しかしながら、使用した設備３を作業者に記録させる等の方法を用いると、余分な手間がかかり、また、作業者が記録することを忘れてしまうことも考えられる。
【０１１７】
これに対して、本発明の第１の実施の形態に係る使用管理システムでは、各設置計測装置１０は、複数の設備３にそれぞれ対応して設けられ、対応の設備３についての計測を行う。携帯計測装置１１は、対象者である作業者２によって携帯され、当該対象者が使用している設備３についての計測を行うことが可能である。使用管理装置１２は、各設置計測装置１０の計測結果および携帯計測装置１１の計測結果に基づいて、対象者による設備３の使用履歴を作成する。
【０１１８】
また、本発明の第１の実施の形態に係る使用管理装置では、取得部５１は、複数の設備３にそれぞれ対応して設けられ、対応の設備３についての計測を行う複数の設置計測装置１０の計測結果、および、対象者によって携帯され、当該対象者が使用している設備３についての計測を行うことが可能な携帯計測装置１１の計測結果を取得する。処理部５２は、取得部５１によって取得された各設置計測装置１０の計測結果および携帯計測装置１１の計測結果に基づいて、対象者による設備３の使用履歴を作成する。
【０１１９】
このような構成により、たとえば、設置計測装置１０による計測結果と携帯計測装置１１による計測結果とが所定の関係を有するような場合に、対象者が使用している設備３は当該設置計測装置１０に対応する設備３であると判断することができるため、たとえば対象者が使用した設備３を自ら記録することなく、設備３の使用履歴を作成することができる。
【０１２０】
したがって、本発明の第１の実施の形態に係る使用管理システムおよび使用管理装置では、設備３の使用を容易に把握することができる。
【０１２１】
また、設置計測装置１０は既存の設備３に対して設けることができるため、使用管理システム１０１は、工場等、複数の設備３の使用を管理する必要がある施設において容易に導入することができる。
【０１２２】
また、本発明の第１の実施の形態に係る使用管理システムでは、使用管理装置１２は、上記計測が行われた時刻を判断可能な時間情報Ｔにさらに基づいて上記使用履歴を作成する。
【０１２３】
このような構成により、設置計測装置１０による測定値の時間的変化と、携帯計測装置１１による測定値の時間的変化とに基づいて、対象者が使用した設備３をより正確に判断することができる。
【０１２４】
また、本発明の第１の実施の形態に係る使用管理システムでは、使用管理装置１２は、設置計測装置１０の計測結果と携帯計測装置１１の計測結果との比較結果に基づいて上記使用履歴を作成する。
【０１２５】
このような構成により、たとえば、設置計測装置１０による測定値の変化に合わせて携帯計測装置１１による測定値も変化した場合に、対象者が使用した設備３は当該設置計測装置１０に対応する設備３であると判断することができるため、より正確な使用履歴を作成することができる。
【０１２６】
また、本発明の第１の実施の形態に係る使用管理システムでは、使用管理装置１２は、携帯計測装置１１の計測結果の示す値が所定条件を満たす期間に挟まれた対象期間における携帯計測装置１１の計測結果と、当該対象期間における設置計測装置１０の計測結果との比較結果に基づいて上記使用履歴を作成する。
【０１２７】
このような構成により、たとえば、対象者がどの設備３も使用しなかった時間帯に挟まれた時間帯、すなわち対象者が１つの設備３を継続して使用していた時間帯を対象期間とし、当該対象期間における各設置計測装置１０による計測結果と携帯計測装置１１による計測結果とを比較することができるため、対象者が使用した設備３をより正確に判断することができる。
【０１２８】
また、本発明の第１の実施の形態に係る使用管理システムは、複数の対象者によってそれぞれ携帯される複数の携帯計測装置１１を備える。使用管理装置１２は、各設置計測装置１０の計測結果および各携帯計測装置１１の計測結果に基づいて、複数の対象者の上記使用履歴を作成する。
【０１２９】
このような構成により、各携帯計測装置１１の計測結果を用いて、たとえば各設備３の全体的な管理を適切に行うことができる。
【０１３０】
次に、本発明の他の実施の形態について図面を用いて説明する。なお、図中同一または相当部分には同一符号を付してその説明は繰り返さない。
【０１３１】
＜第２の実施の形態＞
本実施の形態は、第１の実施の形態に係る使用管理システムと比べて、比較処理Ｃの内容が異なる使用管理システムに関する。以下で説明する内容以外は、第１の実施の形態に係る使用管理システムと同様である。
【０１３２】
図７は、本発明の第２の実施の形態に係る使用管理システムにおける比較処理Ｃについて説明するための図である。
【０１３３】
図７は、使用管理装置１２が自己の記憶部に保存されているリストＬに基づいて作成したグラフを示している。具体的には、図７は、携帯計測装置１１ＰについてのリストＬに基づいて作成されたグラフＧＰと、設置計測装置１０ＡについてのリストＬを用いて作成されたグラフＧＡと、設置計測装置１０ＢについてのリストＬを用いて作成されたグラフＧＢとを示している。
【０１３４】
図７を参照して、グラフＧＰは、携帯計測装置１１Ｐによる計測結果である計測電流Ｉｐの時間的な変化を示している。また、グラフＧＡは、設置計測装置１０Ａによる計測結果である計測電流Ｉａの時間的な変化を示している。また、グラフＧＢは、設置計測装置１０Ｂによる計測結果である計測電流Ｉｂの時間的な変化を示している。
【０１３５】
携帯計測装置１１Ｐを携帯する作業者２Ｐは、たとえば、設備３の使用を開始する少し前の時刻ｔ１において携帯計測装置１１Ｐをオンし、設備３の使用を終了した少し後の時刻ｔ２において携帯計測装置１１Ｐをオフした。その後、作業者２Ｐは、再び設備３の使用を開始する少し前の時刻ｔ３において携帯計測装置１１Ｐをオンし、設備３の使用を終了した少し後の時刻ｔ４において携帯計測装置１１Ｐをオフした。
【０１３６】
このため、携帯計測装置１１Ｐは、時刻ｔ１から時刻ｔ２までの期間Ｔ１においてオン状態であり、時刻ｔ２から時刻ｔ３間までの期間Ｔ２においてオフ状態であり、時刻ｔ３から時刻ｔ４までの期間Ｔ３においてオン状態であった。
【０１３７】
使用管理装置１２は、たとえば、図３において説明したように、各設置計測装置１０および携帯計測装置１１へ計測結果を要求するための計測結果要求を定期的に送信する。使用管理装置１２は、設置計測装置１０からの計測結果通知を受信できなかった場合に、当該設置計測装置１０をオフ状態であると判断し、また、携帯計測装置１１からの計測結果通知を受信できなかった場合に、当該携帯計測装置１１をオフ状態であると判断する。
【０１３８】
つまり、使用管理装置１２は、各設置計測装置１０および各携帯計測装置１１がオン状態であるかオフ状態であるかを認識することができる。
【０１３９】
まず、使用管理装置１２は、携帯計測装置１１Ｐが継続してオン状態であった期間（以下、対象期間Ｔｗとも称する。）における携帯計測装置１１の計測結果と、当該対象期間Ｔｗにおける各設置計測装置１０の計測結果とを比較する。この例では、期間Ｔ１および期間Ｔ３が対象期間Ｔｗである。
【０１４０】
そして、使用管理装置１２は、比較結果に基づいて、作業者２Ｐによる設備３の使用履歴を作成する。
【０１４１】
具体的には、使用管理装置１２は、対象期間Ｔｗである期間Ｔ１における携帯計測装置１１Ｐの計測結果と、期間Ｔ１における各設置計測装置１０の計測結果とを比較し、比較結果が所定条件を満たすか否かを判断する。
【０１４２】
たとえば、使用管理装置１２は、グラフＧＰの期間Ｔ１における部分であるグラフＧＰ１と、グラフＧＡの期間Ｔ１における部分であるグラフＧＡ１とを比較することにより、グラフＧＰ１およびグラフＧＡ１が一致するか否かを判断する。
【０１４３】
また、使用管理装置１２は、グラフＧＰ１とグラフＧＢの期間Ｔ１における部分であるグラフＧＢ１とを比較することにより、グラフＧＰ１およびグラフＧＢ１が一致するか否かを判断する。
【０１４４】
この例では、使用管理装置１２は、グラフＧＰ１およびグラフＧＡ１は一致し、グラフＧＰ１およびグラフＧＢ１は一致しないと判断する。そして、使用管理装置１２は、この判断結果から、作業者２Ｐは期間Ｔ２において設置計測装置１０Ａを使用したと判断する。
【０１４５】
また、使用管理装置１２は、対象期間Ｔｗである期間Ｔ３における携帯計測装置１１Ｐの計測結果と、期間Ｔ３における各設置計測装置１０の計測結果とを比較する。
【０１４６】
たとえば、使用管理装置１２は、グラフＧＰの期間Ｔ３における部分であるグラフＧＰ３と、グラフＧＡの期間Ｔ３における部分であるグラフＧＡ３とを比較することにより、グラフＧＰ３およびグラフＧＡ３が一致するか否かを判断する。
【０１４７】
また、使用管理装置１２は、グラフＧＰ３とグラフＧＢの期間Ｔ３における部分であるグラフＧＢ３とを比較することにより、グラフＧＰ３およびグラフＧＢ３が一致するか否かを判断する。
【０１４８】
この例では、使用管理装置１２は、グラフＧＰ３およびグラフＧＡ３は一致せず、グラフＧＰ３およびグラフＧＢ３は一致すると判断する。そして、使用管理装置１２は、この判断結果から、作業者２Ｐは期間Ｔ３において設置計測装置１０Ｂを使用したと判断する。
【０１４９】
使用管理装置１２は、作業者２Ｐが、期間Ｔ１において設置計測装置１０Ａを使用し、期間Ｔ３において設置計測装置１０Ｂを使用したとする判断結果から、作業者２Ｐによる設備３の使用履歴を作成する。
【０１５０】
なお、使用管理装置１２は、グラフが一致するか否かから作業者２が使用した設備３を判断する構成であるとしたが、これに限定するものではない。たとえば、使用管理装置１２は、グラフの類似の程度に基づいて作業者２が使用した設備３を判断する構成であってもよいし、グラフの示す値の相関関係に基づいて作業者２が使用した設備３を判断する構成であってもよい。
【０１５１】
また、使用管理装置１２は、各リストＬに基づいて対応のグラフを作成し、作成した各グラフを用いて作業者２が使用した設備３を判断する構成であるとしたが、これに限定するものはない。たとえば、使用管理装置１２は、グラフを作成することなく、各リストＬの示す値から直接的に作業者２が使用した設備３を判断する構成であってもよい。
【０１５２】
以上のように、本発明の第２の実施の形態に係る使用管理システムでは、使用管理装置１２は、携帯計測装置１１が継続してオン状態であった対象期間における携帯計測装置１１の計測結果と、当該対象期間における設置計測装置１０の計測結果との比較結果に基づいて、対象者による設備３の使用履歴を作成する。
【０１５３】
このような構成により、対象者が、設備３の使用を開始するときに携帯計測装置１１をオンし、当該設備３の使用を終えたときに携帯計測装置１１をオフするような場合において、対象者が１つの設備３を継続して使用していた時間帯を対象期間とし、当該対象期間における各設置計測装置１０による計測結果と携帯計測装置１１による計測結果とを比較することができるため、対象者が使用した設備３をより正確に判断することができる。
【０１５４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１５５】
以上の説明は、以下に付記する特徴を含む。
【０１５６】
［付記１］
複数の設備にそれぞれ対応して設けられ、対応の前記設備についての計測を行う複数の設置計測装置と、
対象者によって携帯され、前記対象者が使用している前記設備についての計測を行うことが可能な携帯計測装置と、
各前記設置計測装置の計測結果および前記携帯計測装置の計測結果に基づいて、前記対象者による前記設備の使用履歴を作成する使用管理装置とを備え、
前記設置計測装置の計測対象および前記携帯計測装置の計測対象は同じ種類である、使用管理システム。
【符号の説明】
【０１５７】
１  分電盤
２  作業者
３  設備
１０  設置計測装置
１１  携帯計測装置
１２  使用管理装置
１４  アクセスポイント
３０  作業対象物
３１  出力線
３２  アース線
３３  動力線
３４  トーチ
５１  取得部
５２  処理部
５３  出力部
５４  記憶部
５５  内部時計
１０１  使用管理システム
【図１】
2017091348.tif 000003
【図２】
2017091348.tif 000004
【図３】
2017091348.tif 000005
【図４】
2017091348.tif 000006
【図５】
2017091348.tif 000007
【図６】
2017091348.tif 000008
【図７】
2017091348.tif 000009